(57)【特許請求の範囲】
【請求項１】
持ち運び可能な折り畳み式パーテーションであって、
基端部で回動可能に連結される１対の主骨部材と、
前記１対の主骨部材の間に張られた扇状のシートと、
前記１対の主骨部材のうちの一方の主骨部材の側面のうち、前記シートが取り付けられている側とは反対側の側面に設けられた固定具と、を備え、
前記１対の主骨部材は、該１対の主骨部材の先端部が近接した状態である折畳状態と、
前記１対の主骨部材の前記先端部が所定の距離だけ離間して前記シートが広げられ、かつ、前記固定具が外部に取り付けられて、前記一方の主骨部材の前記先端部の側が前記外部の表面上に配置されるとともに前記一方の主骨部材の前記基端部の側が前記外部の表面の端部から露出している状態である設置状態と、を保持可能であり、
前記基端部には、前記１対の主骨部材間の角度を９０度から１８０度までの間の任意の角度で保持可能とする保持機構が設けられていることを特徴とする折り畳み式パーテーション。
【請求項２】
前記外部はテーブルであり、
前記固定具には、前記設置状態において前記テーブルの端部に固定されるクランプが含まれることを特徴とする
請求項１に記載の折り畳み式パーテーション。
【請求項３】
前記１対の主骨部材の間の前記シートに取り付けられ、基端部で前記１対の主骨部材と回動可能に連結される１又は複数の棒状の中骨部材をさらに備えたことを特徴とする
請求項１又は２に記載の折り畳み式パーテーション。
【請求項４】
前記固定具は、クランプ、吸盤及び挟持型固定具の少なくとも１つであることを特徴とする請求項１に記載の折り畳み式パーテーション。
【請求項５】
前記主骨部材は、プラスチックで形成された棒状の部材であり、
前記中骨部材は、グラスファイバーで形成された、前記主骨部材よりも細い棒状の部材であることを特徴とする
請求項３に記載の折り畳み式パーテーション。
【発明の詳細な説明】
【技術分野】
【０００１】
本発明は、持ち運び可能な折り畳み式パーテーションに関する。
【背景技術】
【０００２】
近年、新型コロナウイルス等の感染症を防ぐために、飲食店のテーブル、店舗の会計カウンター、企業の受付窓口等に、アクリル製やビニール製のパーテーションが設置されている（例えば、特許文献１参照）。
【先行技術文献】
【特許文献】
【０００３】
【特許文献１】実用新案登録第３２２７９８７号公報
【発明の概要】
【発明が解決しようとする課題】
【０００４】
しかしながら、これらの施設においてパーテーションが設置されていたとしても、必要な場所に設置されていなかったり、必要な面積がカバーされていない場合があった。例えば、飲食店のカウンターテーブルにおいて各席の間に設置されているパーテーションの幅は当該カウンターテーブルの奥行の幅しかないものが多いため、カウンター席に２人が隣同士で座って向き合って会話をすると、パーテーションを挟まずに顔が向かい合うこととなってしまい、２人は顔にお互いの飛沫を浴びてしまうという問題があった。
【０００５】
本発明は、折り畳んで容易に持ち運ぶことができ、必要な場所に必要な大きさで設置することができる折り畳み式パーテーションを提供することを課題とする。
【課題を解決するための手段】
【０００６】
上記課題を解決するために、本発明に係る折り畳み式パーテーションは、
基端部で回動可能に連結される１対の主骨部材と、
前記１対の主骨部材の間に張られた扇状のシートと、
前記１対の主骨部材のうちの一方に設けられた固定具と、を備え、
前記１対の主骨部材は、該１対の主骨部材の先端部が近接した状態である折畳状態と、前記１対の主骨部材の前記先端部が所定の距離だけ離間して前記シートが広げられ、かつ、前記固定具が外部に取り付けられた状態である設置状態と、を保持可能であることを特徴とする。
【０００７】
この特徴によれば、１対の主骨部材の先端部を近接させて折畳状態にすることで、折り畳み式パーテーションを容易に持ち運ぶことができ、１対の主骨部材の先端部を離間させてシートを広げ固定具を外部に取り付けて設置状態にすることで、折り畳み式パーテーションを必要な場所に必要な大きさで設置することができる。
【０００８】
上記折り畳み式パーテーションにおいて、
前記基端部には、前記１対の主骨部材間の角度を９０度から１８０度までの間の任意の角度で保持可能とする保持機構が設けられていることを特徴とする。
【０００９】
この特徴によれば、パーテーションの設置場所や周囲の状況に応じて、保持機構により、１対の主骨部材間の角度を９０度から１８０度までの間の任意の角度に調整することができ、シートを広げる大きさを調整することができる。
【００１０】
上記折り畳み式パーテーションにおいて、
前記１対の主骨部材の間の前記シートに取り付けられ、基端部で前記１対の主骨部材と回動可能に連結される１又は複数の棒状の中骨部材をさらに備えたことを特徴とする。
【００１１】
この特徴によれば、１対の主骨部材間の角度を９０度より大きくしても、中骨部材によりシートのたるみを防止することができる。
【００１２】
上記折り畳み式パーテーションにおいて、
前記固定具は、クランプ、吸盤及び挟持型固定具の少なくとも１つであることを特徴とする。
【００１３】
この特徴によれば、固定具により、折り畳み式パーテーションをテーブルやカウンター席に容易に取り付けることができる。
【００１４】
上記折り畳み式パーテーションにおいて、
前記主骨部材は、プラスチックで形成された棒状の部材であり、
前記中骨部材は、グラスファイバーで形成された、前記主骨部材よりも細い棒状の部材であることを特徴とする。
【００１５】
この特徴によれば、軽量でありながら、折り畳み式パーテーションの強度及び耐久性を向上させることができる。
【発明の効果】
【００１６】
本発明の折り畳み式パーテーションは、１対の主骨部材の先端部を近接させて折畳状態にすることで、折り畳み式パーテーションを容易に持ち運ぶことができ、１対の主骨部材の先端部を離間させてシートを広げ固定具を外部に取り付けて設置状態にすることで、折り畳み式パーテーションを必要な場所に必要な大きさで設置することができる。
【図面の簡単な説明】
【００１７】
【図１】図１は、本発明の実施形態に係る折り畳み式パーテーションの平面図である。
【図２】図２は、同実施形態に係る折り畳み式パーテーションを折り畳んだ状態の側面図である。
【図３】図３は、同実施形態に係る折り畳み式パーテーションをテーブルに設置した状態の例を示す図である。
【発明を実施するための形態】
【００１８】
以下、本発明の実施形態について、図面を参照して詳細に説明する。
【００１９】
図１は、本発明の実施形態に係る折り畳み式パーテーション１の平面図であり、図２は、畳み式パーテーション１を折り畳んだ状態の側面図であり、図３は、折り畳み式パーテーションをテーブルに設置した状態の例を示す図である。
【００２０】
これらの図に示すように、折り畳み式パーテーション１は、２本の主骨部材１０と、７本の中骨部材５０と、を備えている。本実施形態では、主骨部材１０はプラスチックで形成されている。
【００２１】
中骨部材５０は、主骨部材１０よりも細い棒状部材である、本実施形態では、中骨部材５０は、グラスファイバーで形成されている。主骨部材１０及び中骨部材５０は、折り畳み式パーテーション１をテーブルに設置した際に、着席したユーザの頭の高さまでカバーできる程度の長さを有している。本実施形態では、約６０ｃｍの長さを有している。
【００２２】
１対の主骨部材１０及び中骨部材５０は、一端部で回動可能に連結されている。具体的には、図２に示す折り畳み式パーテーション１の側面図に示すように、主骨部材１０の基端部１１及び中骨部材５０の基端部５１は、１つの主骨部材１０の基端部１１、７つの中骨部材５０の基端部５１、１つの主骨部材１０の基端部１１の順に重ねられており、これらの基端部１１、５１の中央部を回転軸６０が貫通している。この回転軸６０を中心として、１対の主骨部材１０及び中骨部材５０は回動可能となっている。
【００２３】
１対の主骨部材１０の間には、扇状のシート２０が張られている。１対の主骨部材１０間の角度が９０度以上の大きい角度となって当該シート２０が広げられた際に弛まないように、７本の中骨部材５０が当該シート２０に所定間隔で取り付けられている。本実施形態では、シート２０は塩化ビニールで形成されている。
【００２４】
一方の主骨部材１０の側面のうち、シート２０が取り付けられている側とは反対側には、テーブル、椅子の肘掛部分等の外部に折り畳み式パーテーション１を固定するための固定具３０が取り付けられている。本実施形態では、固定具３０として、主骨部材１０の先端部１２側に吸盤３１が取り付けられ、基端部１１に万力固定型のクランプ３２が取り付けられている。なお、固定具３０はこれに限定されることはなく、吸盤、クランプ、洗濯バサミ型の固定器具等の部材の中から１又は複数を選択することができる。
【００２５】
折り畳み式パーテーション１は、「折畳状態」及び「設置状態」を保持可能となっている。ここで、「折畳状態」とは、図２に示すように、主骨部材１０の先端部１２及び中骨部材５０の先端部５２が近接して、主骨部材１０及び中骨部材５０が略平行に配置され、折り畳み傘のようにシート２０が畳まれた状態である。
【００２６】
一方、「設置状態」とは、図３に示すように、１対の主骨部材１０の先端部１２が離間してシート２０が広げられ、かつ、固定具３０がテーブル８０等の外部に取り付けられた状態である。
【００２７】
主骨部材１０の基端部１１及び中骨部材５０の基端部５１には、主骨部材１０及び中骨部材５０各々の間の角度を保持可能とする保持機構１３が設けられている。本実施形態では、当該保持機構１３は、基端部１１及び基端部５１同士の接触面に設けられた細かい凹凸で構成されている。当該細かい凹凸により、基端部１１及び基端部５１同士の接触面の静止摩擦が大きくなりユーザが力を加えない限り、主骨部材１０及び中骨部材５０の位置関係は変化することがなく固定されるため、主骨部材１０及び中骨部材５０各々の間の角度を一定に保つことが可能となる。なお、保持機構１３の構成はこれに限定されることはなく、任意の公知技術を用いることができる。保持機構１３は、例えば、基端部１１及び基端部５１同士の接触面に設けられたゴム部材であってもよいし、所定角度毎に係止されるように設けられた段差であってもよい。
【００２８】
特に、上記保持機構１３によって、１対の主骨部材１０間の角度を、９０度から１８０度までの間の任意の角度に保つことで、飛沫防止効果を大きくすることができる。例えば、ユーザが飲食店等のカウンターテーブルの隣の席との間に折り畳み式パーテーション１を設置する際に、１対の主骨部材１０間の角度を９０度よりも大きい角度にすることで、ユーザがカウンターテーブルに着席して隣に着席した人と顔を向かい合わせて会話しても、２人の顔が折り畳み式パーテーション１のシート２０で仕切られた状態を保つことができるため、２人がお互いの飛沫を浴びるのを防ぐことができる。
【００２９】
なお、「折畳状態」においても、保持機構１３によって、主骨部材１０及び中骨部材５０は平行な状態を保つことができるが、シート２０を纏めるために、図２に示すように、面ファスナー等の結束部材７０で折り畳み式パーテーション１の外周を結束するとよい。当該結束部材７０の一端部は、シート２０に取り付けられていてもよいし、一方の主骨部材１０に取り付けらえていてもよい。
【００３０】
次に、上記構成の折り畳み式パーテーション１の使用手順について説明する。ユーザは、折り畳み式パーテーション１の保管時には、一対の主骨部材１０及び中骨部材５０を略平行に配置し（すなわち、一対の主骨部材１０及び中骨部材５０間の角度を０度とし）、外周を結束部材７０で結束して、図２に示す「折畳状態」としておく。
【００３１】
ユーザが飲食店等の目的地へ移動する際には、「折畳状態」の折り畳み式パーテーション１を鞄等に入れて携帯する。
【００３２】
ユーザは目的地に到着すると、図３に示すように、折り畳み式パーテーション１を自分が着席するテーブル８０に設置する。具体的には、まず、折り畳み式パーテーション１の固定具３０をテーブル８０に固定する。すなわち、主骨部材１０に取り付けられた吸盤３１をテーブル８０の表面に固定し、クランプ３２をテーブル８０の端部に固定する。
【００３３】
次に、固定具３０が取り付けられていない方の主骨部材１０に力を加えて、１対の主骨部材１０の先端部１２を離間させていき、飛沫を防止したい範囲や周囲の状況に応じて、１対の主骨部材１０間の角度を大きくして、シート２０を広げていく。１対の主骨部材１０間の角度がユーザ所望の角度となった場合に、力を加えるのを停止する。図３に示す例では、１対の主骨部材１０間の角度を９０度としている。
【００３４】
次に、１対の主骨部材１０間の中骨部材５０に力を加えて、中骨部材５０の位置を調整する。これにより、折り畳み式パーテーション１は「設置状態」となり、基端部１１及び基端部５１に設けられている保持機構１３により、１対の主骨部材１０及び中骨部材５０の位置関係を保つことができる。
【００３５】
、
以上説明したように、折り畳み式パーテーション１の１対の主骨部材１０の先端部１２を近接させシート２０が畳まれた状態である折畳状態にすることで、折り畳み式パーテーション１を容易に持ち運ぶことができ、１対の主骨部材１０の先端部１２を離間させてシート２０を広げ、固定具３０をテーブル等の外部に取り付けて設置状態にすることで、折り畳み式パーテーション１を必要な場所に必要な大きさで設置することができる。また、主骨部材１０をプラスチック、中骨部材５０をグラスファイバーで形成することにより、軽量でありながら、強度及び耐久性を向上させることができる。
【００３６】
また、折り畳み式パーテーション１を使用していないときは折畳状態にすることで、室内の空気の流れを阻害することがなくなる。
また、ユーザが着席した際には、ユーザの頭部は腰を中心とした弧を描いて移動することとなるが、シート２０を扇状にしたことで、隣に着席した人の頭部をユーザの頭部から遮断するために必要な範囲をシート２０でカバーすることができる。
【００３７】
なお、上述した実施形態は一例に過ぎず、本発明は特許請求の範囲に記載の発明の範囲で種々変形して実施することが可能である。
【００３８】
例えば、上述した実施形態では、シート２０の材質として塩化ビニールを用いたが、これに限定されることはなく、形状を保持可能で折り畳み可能な材質、例えば、和紙、厚紙、厚手の合成樹脂等を用いてもよい。この場合には、折畳状態においては、扇子のように、基端部１１、５１から放射状に延びる直線でシート２０を綺麗に折り畳んで収納することができる。
【００３９】
また、シート２０の材質として、形状保持可能な素材を用いる場合には、中骨部材５０を設けなくてもよい。
【００４０】
また、上述した実施形態では、中骨部材５０を７本設けたが、中骨部材５０を設ける数はこれに限定されることはなく、任意の数だけ設けることができる。
【００４１】
また、主骨部材１０の材質は、プラスチックに限らず、例えば、鉄材、ステンレススチール、木材、グラスファイバー等を用いることができる。中骨部材５０については、主骨部材１０と同じ太さであってもよいし、材質はグラスファイバーに限らず、例えば、プラスチップであっても木材であってもよい。
【産業上の利用可能性】
【００４２】
本発明に係る折り畳み式パーテーションは、飲食店、教育機関の教室、会議室等のあらゆる施設において、机、カウンターテーブル等が設置されているあらゆる場所で利用することができる。
【符号の説明】
【００４３】
１  折り畳み式パーテーション
１０  主骨部材
１１  基端部
１２  先端部
２０  シート
３０  固定具
３１  吸盤
３２  クランプ
５０  中骨部材
５１  基端部
５２  先端部
６０  回転軸
７０  結束部材
８０  テーブル
【要約】
【課題】折り畳んで容易に持ち運ぶことができ、必要な場所に必要な大きさで設置することができる折り畳み式パーテーションを提供する。
【解決手段】折り畳み式パーテーション１は、基端部１１で回動可能に連結される１対の主骨部材１０と、１対の主骨部材１０の間に張られた扇状のシート２０と、１対の主骨部材のうちの一方に設けられた固定具３０と、を備え、１対の主骨部材１０は、該１対の主骨部材１０の先端部１２が近接した状態である折畳状態と、１対の主骨部材１０の先端部１２が所定の距離だけ離間してシート２０が広げられ、かつ、固定具３０が外部に取り付けられた状態である設置状態と、を保持可能である。
【選択図】図１【図１】
0006945891.tif 000002
【図２】
0006945891.tif 000003
【図３】
0006945891.tif 000004